(57)【特許請求の範囲】
【請求項１】
枠に設けた開口部と、複数の通気ユニットと、通気ユニットのカバー材とを備え、各通気ユニットは、開閉弁と、開閉弁を揺動自在に支持する支持具と、支持具の左右に各々設けた端部キャップとを有し、隣り合う通気ユニットの端部キャップ同士を着脱自在に係合するとともに、両端の通気ユニットの端部キャップを枠の開口部に着脱自在に取付けてあり、カバー材は、通気ユニットの浴室側に設けて、枠の開口部に着脱自在に取付けてあることを特徴とする浴室戸。
【発明の詳細な説明】
【技術分野】
【０００１】
本発明は、浴室戸に関する。
【背景技術】
【０００２】
特許文献１には、浴室戸の枠の開口部に開閉弁とカバー材を設けることが開示されている。この特許文献１の浴室戸では、開閉弁とカバー材とを一体にして、カバー材で開閉弁を揺動自在に支持すると共に開閉弁とカバー材は枠の開口部の左右方向全体に亘って配置している。
【先行技術文献】
【特許文献】
【０００３】
【特許文献１】特開２０１０−２２２８４６号
【発明の概要】
【発明が解決しようとする課題】
【０００４】
しかし、特許文献１の技術では、カバー材と開閉弁の支持部とが一体になっていると共にカバー材が枠の開口部の左右方向全体に亘って配置しているので、例えば、カバー材が経年劣化により変形した場合には開閉弁の支持部も変形して開閉弁が開閉し難くなったり、甚だしい場合には開閉できなくなり、通気機能を妨げるとう不都合がある。特に、開口部の左右方向全体に亘ってカバー材を設けるとカバー材は自重により撓みを生じ易くなり、カバー材に変形が生じることがある。
【０００５】
そこで、本発明は、カバー材に変形が生じた場合でも通気機能を保持することができる浴室戸の提供を目的とする。
【課題を解決するための手段】
【０００６】
請求項１に記載の発明は、枠に設けた開口部と、複数の通気ユニットと、通気ユニットのカバー材とを備え、各通気ユニットは、開閉弁と、開閉弁を揺動自在に支持する支持具と、支持具の左右に各々設けた端部キャップとを有し、隣り合う通気ユニットの端部キャップ同士を着脱自在に係合するとともに、両端の通気ユニットの端部キャップを枠の開口部に着脱自在に取付けてあり、カバー材は、通気ユニットの浴室側に設けて、枠の開口部に着脱自在に取付けてあることを特徴とする浴室戸である。
本発明において、枠は、障子の框を含む。
【発明の効果】
【０００７】
請求項１に記載の発明によれば、カバー材と開閉弁の支持具とは別体にしているので、カバー材が変形しても開閉弁の開閉に支障を与えることがなく、通気機能を保持することができる。
通気ユニットは、枠又は框の開口部の左右方向に亘って複数個設けてあるので、開口部の左右方向全体に亘って一つの通気ユニットを設ける場合に比較して、開口部の左右で通風が偏っている場合でも、いずれかの開閉弁の開閉をスムーズにできる。
通気ユニットは複数設けてあるので、仮に、塵等により開閉弁と支持具との間の摩擦が大きくなり一の通気ユニットの開閉弁が開閉できなくなった場合でも、他の通気ユニットの開閉弁により通気を確保することができる。
各種の幅の浴室戸に対して、一の通気ユニットを共通して用い、他の通気ユニットの幅を調整することにより取付けできるので、同種の通気ユニットを共通して用いることができる。
【図面の簡単な説明】
【０００８】
【図１】本発明の実施の形態にかかる浴室戸の図であり、図７に示すＡ−Ａ断面図であり、通気口カバーを除いて示す図である。
【図２】本発明の実施の形態にかかる浴室戸の図であり、図７に示すＢ−Ｂ断面図である。
【図３】図２に示す上枠において、通気ユニットとカバー材とを外した状態を示す縦断面図である。
【図４】隣合う通気ユニットの外観を示す斜視図である。
【図５】右通気ユニットの分解斜視図である。
【図６】通気口カバーの図であり、（ａ）は正面図、（ｂ）は側面図、（ｃ）は平面図である。
【図７】浴室戸を浴室側から見た正面図である。
【発明を実施するための形態】
【０００９】
以下に、添付図面の図１〜図７を参照して本発明の実施の形態を詳細に説明する。本実施の形態に係る浴室戸１は、図７に示すように、枠３と障子５とを備えており、枠３は上枠７と下枠９と左右の竪枠１１ａ、１１ｂとを枠組みしてある。障子５は、ドア本体であり、パネルの周囲に上框１３と下框１５と左右の竪框１７とで框組した框４が設けてある。
図２及び図３に示すように、上枠７には、浴室と脱衣室とを連通する開口部１９が形成されている。上枠７の開口部１９は、上壁部７ａと、下壁部７ｂと、上壁部７ａと下壁部７ｂとを連結する連結部７ｃで構成してあり、連結部７ｃに通気口を形成して、通気口に通気口カバー２５が装着されている。
【００１０】
通気口カバー２５は、図６に示すように、周囲に連結部７ｂに嵌合する嵌合部１４が形成してあり、中央に通気孔１６が形成されている。
図１に示すように、上枠７の開口部１９には、複数の通気ユニット２１ａ、２１ｂと、通気ユニット２１ａ、２１ｂの浴室側に取付けたカバー材２３とが設けてある。複数の通気ユニット２１ａ、２１ｂは、本実施の形態では、２つであり、浴室側から見て右側に位置する右通気ユニット２１ａと左側に位置する左通気ユニット２１ｂとである。
【００１１】
図１に示すように、各通気ユニット２１ａ、２１ｂは上枠７の開口部１９の左右に配置してあり、左右の竪枠１１ａ、１１ｂ間に保持されている。
図２及び図３に示すように、開口部１９の上壁部７ａには、通気ユニット２１ａ、２１ｂが係止する通気ユニット係止部２４及びカバー材２３が係止するカバー材係止部２６が形成されている。
図４及び図５に示すように、左右の通気ユニット２１ａ、２１ｂは、各々開閉弁２７と、開閉弁２７の支持具２９と、端部キャップ３１ａ、３１ｂと、補助材４７とから構成されている。
【００１２】
開閉弁２７は、図５に示すように、弁本体部２７ａと軸部２７ｂとを有し、支持具２９は開閉弁２７を揺動自在に支持するものであり、開閉弁２７の軸部２７ｂを支持する支持部２９ａと、支持部２９ａの上側に設けて上壁部７ａの通気ユニット係止部２４に係止する被係止部３３と、カバー材２３を受けるカバー材受け３５とが形成されている。被係止部３３は脱衣室側に設けてあり、カバー材受け３５は浴室側に設けてある。
支持具２９の左右端には、被係止部３３とカバー材受け３５との間に端部キャップ３１３１ａ又は３１ｂを取付ける端部キャップ取付け部３７が形成されている。
左右の端部キャップ３１ａ又は３１ｂは各々、支持具２９に取付けるねじ３９を挿通するねじ挿通孔４１と、支持具２９に係合する係合部４３と、補助材取付け部４５とが設けてあり、補助材取付け部４５は補助材４７の端部４７ａに嵌合している。
【００１３】
図４に示すように、右通気ユニット２１ａは、左右端に同種の端部キャップ３１ａ、３１ａが取付けてあり、各端部キャップ３１ａ、３１ａには開閉弁２７と反対側面に各々係合部５１が形成されている。係合部５１は側面視半円形状を成す凹みであり、係合部５１の半円は脱衣室側に開放口５１ａが形成されている。
左通気ユニット２１ｂは、浴室側から見た右側に端部キャップ３１ｂが取付けてあり、端部キャップ３１ｂは右通気ユニット２１ａの左端に取付けた端部キャップ３１ａの係合部５１に係合可能な被係合部５３が形成されている。被係合部５３は側面視半円形状を成す突部であり、係合部５１に着脱自在に係合する。
左通気ユニット２１ｂの左側に取付けてある端部キャップ３１ａは、右通気ユニット２１ａと同種の端部キャップであり、係合部５１が形成されている。
各端部キャップ３１ａ、３１ｂには各々、浴室側に突出した摘み部５５が形成されている。
【００１４】
図３及び図４に示すように、左右の竪枠１１、１１には、各々、対向側面に端部キャップ３１ａの係合部５１と係合可能な被係合部５７を有する端部保持具５９がねじ６０で固定されており、右通気ユニット２１ａの端部キャップ３１ａと左通気ユニット２１ｂの端部キャップ３１ａに各々係合して着脱自在に保持している。更に、端部保持具５９には、カバー材２３を取付ける被係合部６４が設けてあり、被係合部６４は頭を突設したねじ６６の軸部である。
隣り合う左右の通気ユニット２１ａ、２１ｂには、互いに隣合う端部キャップ３１ａの係合部５１と、端部キャップ３１ｂの被係合部５３とが着脱自在に係合している。
【００１５】
図１に示すように、カバー材２３は、上枠７の開口部１９の全体に亘って設けてあり、通気ユニット２１ａ、２１ｂの浴室側に取付けてある。図２及び図３に示すように、カバー材２３は、上端に上枠７の上壁部７ａに形成されたカバー材係止部２６に浴室側から係止する被係止部６１と、各通気ユニット２１ａ、２１ｂのカバー材受け３５に載置する載置部６３とが形成されている。また、カバー材２３は左右端に端部キャップ２３ａが取付けてあり、端部キャップ２３ａには係合部６２が設けてあり、係合部６２は端部保持具５９のねじ６６の被係合部６４に挿入して係合してある。
図２に示すように、カバー材２３は、上枠７の下壁部７ｂとの間に空間を形成しており、下端が各通気ユニット２１ａ、２１ｂよりも下方に位置しており、矢印Ｓで示すように、通気ユニット２１ａ、２１ｂを通過した空気を上枠７の下方から浴室側へ導出するようにしている。
【００１６】
次に、本実施の形態にかかる浴室戸１における通気ユニット２１ａ、２１ｂ及びカバー材２３の着脱、作用効果について、説明する。
上枠７の開口部１９において、連結部７ｃの通気口部８には、予め、通気口カバー２５を脱衣室側から嵌合して取付け、左右の竪枠１１、１１には、端部保持具５９がねじで固定してある。
図１及び図３に示すように、通気ユニット２１ａ、２１ｂ及びカバー材２３の装着は、まず、左通気ユニット２１ｂを浴室側から上枠７の開口部１９に挿入して、上壁部７ａの通気ユニット係止部２４に被係止部３３を係止して通気ユニット２１ｂを垂下すると共に、左端部キャップ２１ｂの係合部５１を端部保持具５９の被係合部５７に浴室側から挿入して係合する。
次に、右通気ユニット２１ａの左端部キャップ３１ａの係合部５１を左通気ユニット２１ｂの右端部キャップ３１ｂの被係合部５３に係合し且つ右端部キャップ３１ａを右竪枠１１に固定した端部保持具５９の被係合部５７に係合するように、浴室側から挿入する。同時に、右通気ユニット２１ａの被係止部３３を上壁部７ａの係止ユニット係止部２４に係止する。
左右の通気ユニット２１ａ、２１ｂを装着した後、カバー材２３を浴室側から開口部１９に挿入して、カバー材２３の端部キャップ２３ａに設けてある係合部６２を左右の各端部保持具５９の被係合部６４に係合すると共に、上枠７の上壁７ａに形成されているカバー材係止部２６に被係止部６１を係止し、且つ、通気ユニット２１ａ、２１ｂのカバー材受け３５に載置部６３を載置する。
【００１７】
メンテナンス等のため、通気ユニット２１ａ、２１ｂ及びカバー材２３を外すときには、上述した工程を逆におこなう。即ち、カバー材２３を外したのち、右通気ユニット２１ａを浴室側に引抜くようにして、各係合を外し、次に左通気ユニット２１ｂを端部保持具５９及び上枠７の上壁部７ａから外す。
上枠７の開口部１９に左右の通気ユニット２１ａ、２１ｂ及びカバー材２３を装着した状態において、浴室の換気扇が作動すると、浴室側が減圧になるので、図２に符号Ｔで示すように、開閉弁２７の下端側が浴室側に回動し、開口部１９が浴室と脱衣室とを連通した状態になって、符号Ｓで示すように、浴室側に脱衣室側から空気が流入して、浴室の換気を行う。
【００１８】
本実施の形態によれば、カバー材２３と開閉弁２７の支持具２９とは別体にしているので、カバー材２３が変形しても開閉弁２７の開閉に支障を与えることがなく、通気機能を保持することができる。
通気ユニット２１ａ、２１ｂは、上枠７の開口部１９の左右方向に亘って複数個設けてあるので、開口部１９の左右方向全体に亘って一つの通気ユニットを設ける場合に比較して、開口部１９の左右で通風が偏っている場合でも、２つの通気ユニット２１ａ、２１ｂのいずれかの開閉弁２７の開閉をスムーズにできる。
通気ユニット２１ａ、２１ｂは複数設けてあるので、仮に、塵等により開閉弁２７と支持具２９との間の摩擦が大きくなり右通気ユニット２１ａの開閉弁２７が開閉できなくなった場合でも、左通気ユニット２１ｂの開閉弁２７により通気を確保することができる。
各種の幅の浴室戸に対して、左右一方の通気ユニット２１ａ（又は２１ｂ）を共通して用い、他の通気ユニット２１ｂ（又は２１ａ）の幅を調整することにより取付けできるので、同種の通気ユニット２１ａを共通して用いることができる。
【００１９】
カバー材２３には、支持具２９のカバー材受け３５に載置する載置部６３を設けているので、上枠７ａに対する係止は被係止部６１のみで行うことができ、上枠７ａとの係止箇所を少なくでき、上枠７の形状を簡易にできると共に載置部６３は支持具２９に載置するだけなので、カバー材２３の取付けが容易にできる。
また、カバー材２３は、その端部キャップ２３ａに設けた係合部６２を端部保持具５９の被係合部６４に係合により取付けできるので、端部保持具５９に対する取付けも容易にできる。
右通気ユニット２１ａにおいて、左右両端部に取付けた端部キャップ３１ａの係合部５１は脱衣室側に開放口５１ａが形成されており、開放口５１ａから左通気ユニットの被係合部５３と端部保持具５９の係合部５７に挿入して係合しているから、右通気ユニット２１ａの着脱が浴室側からの挿入や引抜きにより容易にできる。
【００２０】
本発明は、上述した実施の形態に限らず、本発明の要旨を逸脱しない範囲で種々変形可能である。
例えば、開口部１９、左右の通気ユニット２１ａ、２１ｂ及びカバー材２３は浴室戸１の枠３に設けることに限らず、障子５の框４に設けるものであっても良い。
通気ユニット２１ａ、２１ｂ及びカバー材２３は、竪枠１１ａ、１１ｂに取付けた端部保持具５９にも保持したが、上枠７のみ係合して保持しても良いし、竪枠１１ａ、１１ｂの端部保持具５９のみで保持しても良い。
左右の通気ユニット２１ａ、２１ｂは、隣合う端部キャップ３１ａ、３１ｂが互い着脱自在に係合すれば良く、例えば、右通気ユニット２１ａの竪枠側端部に端部キャップ３１ｂを取付け、端部保持具５９には被係合部５３が係合するように、端部キャップ３１ａと同様な凹み状の係合部５１ａを形成しても良い。
開口部１９内に設ける通気ユニット２１ａ、２１ｂは、２つに限らず、３つや４つでも良く、通気ユニット２１ａ、２１ｂの数や長さは制限されない。
【符号の説明】
【００２１】
１    浴室戸
３    枠
１９  開口部
２１ａ  右通気ユニット
２１ｂ  左通気ユニット
２３  カバー材
２７  開閉弁
２９  支持具
３１ａ  端部キャップ
３１ｂ  端部キャップ
５１  係合部
５３  被係合部
【図１】
0005948122.tif 000002
【図２】
0005948122.tif 000003
【図３】
0005948122.tif 000004
【図４】
0005948122.tif 000005
【図５】
0005948122.tif 000006
【図６】
0005948122.tif 000007
【図７】
0005948122.tif 000008